(57)【要約】【課題】  本発明の目的は、入力されたチャネル番号が入力されたＩＰアドレス及びドメインネームのうち、少なくとも一つに対応されるようにチャネルを設定するチャネル設定方法及びこれを適用した放送受信装置を提供することにある。【解決手段】  チャネル設定方法及び放送受信装置が提供される。本チャネル設定方法は入力されたチャネル番号が入力されたＩＰアドレスおよびドメインネームのうち、少なくとも一つに対応されるようにチャネルを設定する。これにより、ユーザーはＩＰアドレス及びドメインネームをチャネルに設定できるようになる。【選択図】      図３
2010252323.tif 000002
【特許請求の範囲】
【請求項１】
チャネル番号を入力されるステップと、
ＩＰアドレス及びドメインネームのうち、少なくとも一つを入力されるステップと、
前記入力されたチャネル番号が前記入力されたＩＰアドレス及びドメインネームのうち、少なくとも一つに対応されるように設定するステップと、
を含むチャネル設定方法。
【請求項２】
前記ＩＰアドレス及びドメインネームのうち、少なくとも一つに対応されるサーバーで映像提供サービスが提供されるか否かを検索するステップを更に含み、
前記設定ステップは、
前記サーバーで映像提供サービスが提供される場合、前記入力されたチャネル番号が前記入力されたＩＰアドレス及びドメインネームのうち、少なくとも一つに対応されるように設定することを特徴とする請求項１に記載のチャネル設定方法。
【請求項３】
前記映像提供サービスは、
ＩＰＴＶサービス又はストリーミングサービスであることを特徴とする請求項２に記載のチャネル設定方法。
【請求項４】
チャネル番号入力欄、周波数入力欄、帯域幅入力欄、ＩＰアドレス入力欄及びドメインネーム入力欄を含むチャネル設定窓を表示するステップを更に含み、
前記チャネル番号の入力ステップは、
前記チャネル番号入力欄を介してチャネル番号を入力されて、
前記ＩＰアドレス及びドメインネームのうち、少なくとも一つを入力されるステップは、
前記ＩＰアドレス入力欄及びドメインネーム入力欄を介して前記ＩＰアドレス及びドメインネームのうち、少なくとも一つを入力されることを特徴とする請求項１に記載のチャネル設定方法。
【請求項５】
前記チャネル番号入力欄にチャネル番号が入力されてＩＰアドレス入力欄及びドメインネーム入力欄にＩＰアドレス及びドメインネームのうち、少なくとも一つが入力された状態で検索命令が入力されると、前記入力されたＩＰアドレス及びドメインネームのうち、少なくとも一つに対応されるサーバーで映像提供サービスが提供されるか否かを検索するステップを更に含み、
前記設定ステップは、
前記サーバーで映像提供サービスが提供されると検索された場合、前記入力されたチャネル番号が前記入力されたＩＰアドレス及びドメインネームのうち、少なくとも一つに対応されるように設定することを特徴とする請求項４に記載のチャネル設定方法。
【請求項６】
前記ＩＰアドレス入力欄にＩＰアドレスが入力されると、前記ドメインネーム入力欄に前記入力されたＩＰアドレスに対応されるドメインネームを表示するステップを更に含むことを特徴とする請求項４に記載のチャネル設定方法。
【請求項７】
前記ドメインネーム入力欄にドメインネームが入力されると、前記ＩＰアドレス入力欄に前記入力されたドメインネームに対応されるＩＰアドレスを表示するステップを更に含むことを特徴とする請求項４に記載のチャネル設定方法。
【請求項８】
前記ＩＰアドレス入力欄及びドメインネーム入力欄にＩＰアドレス及びドメインネームのうち、少なくとも一つが入力されると、前記周波数入力欄及び帯域幅入力欄を非活性状態に変更するステップを更に含むことを特徴とする請求項４に記載のチャネル設定方法。
【請求項９】
前記チャネル番号入力欄にチャネル番号が入力されて周波数入力欄と帯域幅入力欄に周波数及び帯域幅が入力された状態で検索命令が入力されると、前記入力された周波数及び帯域幅で放送サービスが提供されるか否かを検索するステップと、
前記入力された周波数及び帯域幅で放送サービスが提供されると検索された場合、前記入力されたチャネル番号が前記入力された周波数及び帯域幅に対応されるように設定することを特徴とする請求項４に記載のチャネル設定方法。
【請求項１０】
前記周波数入力欄及び帯域幅入力欄に周波数及び帯域幅のうち、少なくとも一つが入力されると、前記ＩＰアドレス入力欄及び前記ドメインネーム入力欄を非活性状態に変更するステップを更に含むことを特徴とする請求項４に記載のチャネル設定方法。
【請求項１１】
ＩＰチャネルと放送チャネルをともに含むチャネルリストを生成するステップを更に含むことを特徴とする請求項１に記載のチャネル設定方法。
【請求項１２】
前記生成ステップは、
前記ＩＰチャネルと前記放送チャネルが各々別途の領域に表示されたチャネルリストを生成することを特徴とする請求項１１に記載のチャネル設定方法。
【請求項１３】
使われないチャネル番号リストを表示するステップと、
映像提供サービスが提供されるサーバーのドメインネームリストを表示するステップと、を更に含み、
前記チャネル番号の入力ステップは、
ユーザーにより前記チャネル番号リスト内の一項目が選択されると、前記選択された項目に対応されるチャネル番号が入力されて、
前記ＩＰアドレス及びドメインネームのうち、少なくとも一つを入力されるステップは、
ユーザーにより前記ドメインネームリスト内の一項目が選択されると、前記選択された項目に対応されるドメインネーム及びＩＰアドレスが入力されることを特徴とする請求項１に記載のチャネル設定方法。
【請求項１４】
ユーザー操作を入力されるユーザー操作部と、
前記ユーザー操作部を介して、チャネル番号を入力されて、ＩＰアドレス及びドメインネームのうち、少なくとも一つを入力されて、前記入力されたチャネル番号が前記入力されたＩＰアドレス及びドメインネームのうち、少なくとも一つに対応されるように設定する制御部と、
を含む放送受信装置。
【請求項１５】
前記制御部は、
前記ＩＰアドレス及びドメインネームのうち、少なくとも一つに対応されるサーバーで映像提供サービスが提供されるか否かを検索して、前記サーバーで映像提供サービスが提供されると検索された場合、前記入力されたチャネル番号が前記入力されたＩＰアドレス及びドメインネームのうち、少なくとも一つに対応されるように設定するとこを特徴とする請求項１４に記載の放送受信装置。
【発明の詳細な説明】
【技術分野】
【０００１】
本発明は、チャネル設定方法及びこれを適用した放送受信装置に関し、更に詳しくはＩＰＴＶチャネルを設定するためのチャネル設定方法及びこれを適用した放送受信装置に関する。
【背景技術】
【０００２】
ＴＶの技術が発展するにつれて、ＴＶで様々なサービスを提供できるようになった。特に、ＴＶがインターネットに接続されることで、ＩＰＴＶというインターネットＴＶサービスを提供できるようになった。
【０００３】
ＩＰＴＶサービスは益々多様化しつつあり、それによりＩＰＴＶサービスを提供する会社も増えている。尚、ＩＰＴＶサービスの他にもインターネットを介して多様な動画が提供されている。
【０００４】
ところが、一般放送とＩＰＴＶ放送をともに視聴する場合、ＩＰＴＶを視聴するためにユーザーは別途の入力設定等の過程を踏まなければならない不都合がある。従って、ＴＶのＩＰチャネルと放送チャネルをより手軽に設定するための手立て模索が必要とされる。
【先行技術文献】
【特許文献】
【０００５】
【特許文献１】韓国特許公開第２００８−００６７４７５号
【特許文献２】韓国特許公開第２００７−００３５４４７号
【発明の概要】
【発明が解決しようとする課題】
【０００６】
本発明は、前記のような問題点を解決するために考案されたものであり、本発明の目的は、入力されたチャネル番号が入力されたＩＰアドレス及びドメインネームのうち、少なくとも一つに対応されるようにチャネルを設定するチャネル設定方法及びこれを適用した放送受信装置を提供することにある。
【課題を解決するための手段】
【０００７】
前記目的を達成するための本発明の一実施例に係るチャネル設定方法は、チャネル番号を入力されたステップと、ＩＰアドレス及びドメインネームのうち、少なくとも一つを入力されるステップと、及び前記入力されたチャネル番号が前記入力されたＩＰアドレス及びドメインネームのうち、少なくとも一つに対応されるように設定するステップを含む。
【０００８】
そして、前記ＩＰアドレス及びドメインネームのうち、少なくとも一つに対応されるサーバーで映像提供サービスが提供されるか否かを検索するステップを更に含み、前記設定ステップは、前記サーバーで映像提供サービスが提供される場合、前記入力されたチャネル番号が前記入力されたＩＰアドレス及びドメインネームのうち、少なくとも一つに対応されるように設定することもできる。
【０００９】
尚、前記映像提供サービスは、ＩＰＴＶサービス又はストリーミングサービスでも良い。
【００１０】
そして、チャネル番号入力欄、周波数入力欄、帯域幅入力欄、ＩＰアドレス入力欄及びドメインネーム入力欄を含むチャネル設定窓を表示するステップを更に含み、前記チャネル番号の入力ステップは、前記チャネル番号入力欄を介してチャネル番号を入力されて、前記ＩＰアドレス及びドメインネームのうち、少なくとも一つを入力されるステップは、前記ＩＰアドレス入力欄及びドメインネーム入力欄を介して前記ＩＰアドレス及びドメインネームのうち、少なくとも一つを入力されることもできる。
【００１１】
尚、前記チャネル番号入力欄にチャネル番号が入力されてＩＰアドレス入力欄及びドメインネーム入力欄にＩＰアドレス及びドメインネームのうち、少なくとも一つが入力された状態で検索命令が入力されると、前記入力されたＩＰアドレス及びドメインネームのうち、少なくとも一つに対応されるサーバーで映像提供サービスが提供されるか否かを検索するステップを更に含み、前記設定ステップは、前記サーバーで映像提供サービスが提供されると検索された場合、前記入力されたチャネル番号が前記入力されたＩＰアドレス及びドメインネームのうち、少なくとも一つに対応されるように設定することもできる。
【００１２】
そして、前記ＩＰアドレス入力欄にＩＰアドレスが入力されると、前記ドメインネーム入力欄に前記入力されたＩＰアドレスに対応されるドメインネームを表示するステップを更に含むこともできる。
【００１３】
尚、前記ドメインネーム入力欄にドメインネームが入力されると、前記ＩＰアドレス入力欄に前記入力されたドメインネームに対応されるＩＰアドレスを表示するステップを更に含むこともできる。
【００１４】
そして、前記ＩＰアドレス入力欄及びドメインネーム入力欄にＩＰアドレス及びドメインネームのうち、少なくとも一つが入力されると、前記周波数入力欄及び前記帯域幅入力欄を非活性状態に変更するステップを更に含むこともできる。
【００１５】
尚、前記チャネル番号入力欄にチャネル番号が入力されて周波数入力欄と帯域幅入力欄に周波数及び帯域幅が入力された状態で検索命令が入力されると、前記入力された周波数及び帯域幅で放送サービスが提供されるか否かを検索するステップと、及び前記入力された周波数及び帯域幅で放送サービスが提供されると検索された場合、前記入力されたチャネル番号が前記入力された周波数及び帯域幅に対応されるように設定することもできる。
【００１６】
そして、前記周波数入力欄及び帯域幅入力欄に周波数及び帯域幅のうち、少なくとも一つが入力されると、前記ＩＰアドレス入力欄及び前記ドメインネーム入力欄を非活性状態に変更するステップを更に含む。
【００１７】
尚、ＩＰチャネルと放送チャネルをともに含むチャネルリストを生成するステップを更に含むこともできる。
【００１８】
そして、前記生成ステップは、前記ＩＰチャネルと前記放送チャネルが各々別途の領域に表示されたチャネルリストを生成することもできる。
【００１９】
尚、使われないチャネル番号リストを表示するステップと、及び映像提供サービスが提供されるサーバーのドメインネームリストを表示するステップと、を更に含み、前記チャネル番号の入力ステップは、ユーザーにより前記チャネル番号リスト内の一項目が選択されると、前記選択された項目に対応されるチャネル番号が入力されて、前記ＩＰアドレス及びドメインネームのうち、少なくとも一つを入力されるステップは、ユーザーにより前記ドメインネームリスト内の一項目が選択されると、前記選択された項目に対応されるドメインネーム及びＩＰアドレスが入力されることもできる。
【００２０】
一方、本発明の一実施例に係る放送受信装置は、ユーザー操作を入力されるユーザー操作部と、前記ユーザー操作部を介して、チャネル番号を入力され、ＩＰアドレス及びドメインネームのうち、少なくとも一つを入力されて、前記入力されたチャネル番号が前記入力されたＩＰアドレス及びドメインネームのうち、少なくとも一つに対応されるように設定する制御部と、を含む。
【００２１】
そして、前記制御部は、前記ＩＰアドレス及びドメインネームのうち、少なくとも一つに対応されるサーバーで映像提供サービスが提供されるか否かを検索して、前記サーバーで映像提供サービスが提供されると検索された場合、前記入力されたチャネル番号が前記入力されたＩＰアドレス及びドメインネームのうち、少なくとも一つに対応されるように設定することもできる。
【００２２】
尚、前記映像提供サービスは、ＩＰＴＶサービス又はストリーミングサービスでも良い。
【００２３】
そして、前記制御部は、チャネル番号入力欄、周波数入力欄、帯域幅入力欄、ＩＰアドレス入力欄及びドメインネーム入力欄を含むチャネル設定窓が表示されるように制御し、前記チャネル番号入力欄を介してチャネル番号を入力されて、前記ＩＰアドレス入力欄及びドメインネーム入力欄を介して前記ＩＰアドレス及びドメインネームのうち、少なくとも一つを入力することもできる。
【００２４】
尚、前記制御部は、前記チャネル番号入力欄にチャネル番号が入力されて、ＩＰアドレス入力欄及びドメインネーム入力欄にＩＰアドレス及びドメインネームのうち、少なくとも一つが入力された状態で検索命令が入力されると、前記入力されたＩＰアドレス及びドメインネームのうち、少なくとも一つに対応されるサーバーで映像提供サービスが提供されるか否かを検索して、前記サーバーで映像提供サービスが提供されると検索された場合、前記入力されたチャネル番号が前記入力されたＩＰアドレス及びドメインネームのうち、少なくとも一つに対応されるように設定することもできる。
【００２５】
そして、前記制御部は、前記ＩＰアドレス入力欄にＩＰアドレスが入力されると、前記ドメインネーム入力欄に前記入力されたＩＰアドレスに対応されるドメインネームが表示されるように制御することもできる。
【００２６】
尚、前記制御部は、前記ドメインネーム入力欄にドメインネームが入力されると、前記ＩＰアドレス入力欄に前記入力されたドメインネームに対応されるＩＰアドレスが表示されるように制御することもできる。
【００２７】
そして、前記制御部は、前記ＩＰアドレス入力欄及びドメインネーム入力欄にＩＰアドレス及びドメインネームのうち、少なくとも一つが入力されると、前記周波数入力欄及び前記帯域幅入力欄を非活性状態に変更することもできる。
【００２８】
尚、前記制御部は、前記チャネル番号入力欄にチャネル番号が入力されて周波数入力欄と帯域幅入力欄に周波数及び帯域幅が入力された状態で検索命令が入力されると、前記入力された周波数及び帯域幅で放送サービスが提供されるか否かを検索して、前記入力された周波数及び帯域幅で放送サービスが提供されると検索された場合、前記入力されたチャネル番号が前記入力された周波数及び帯域幅に対応されるように設定することもできる。
【００２９】
尚、前記制御部は、前記周波数入力欄及び帯域幅入力欄に周波数及び帯域幅のうち、少なくとも一つが入力されると、前記ＩＰアドレス入力欄及び前記ドメインネーム入力欄を非活性状態に変更することもできる。
【００３０】
そして、前記制御部は、ＩＰチャネルと放送チャネルをともに含むチャネルリストを生成することもできる。
【００３１】
尚、前記制御部は、前記ＩＰチャネルと前記放送チャネルが各々別途の領域に表示されたチャネルリストを生成することもできる。
【００３２】
そして、前記制御部は、使われないチャネル番号リスト及び映像提供サービスが提供されるサーバーのドメインネームリストが画面に表示されるように制御し、ユーザーにより前記チャネル番号リスト内の一項目が選択されると、前記選択された項目に対応されるチャネル番号が入力され、ユーザーにより前記ドメインネームリスト内の一項目が選択されると、前記選択された項目に対応されるドメインネーム及びＩＰアドレスが入力されるように制御することもできる。
【発明の効果】
【００３３】
本発明の多様な実施例によれば、入力されたチャネル番号が入力されたＩＰアドレス及びドメインネームのうち、少なくとも一つに対応されるようにチャネルを設定するチャネル設定方法及びこれを適用した放送受信装置を提供できるようになり、ユーザーはＩＰＴＶを一般放送チャネルとともにチャネル選択ボタンを用いて簡単に選択できるようになる。これにより、ユーザーは多様な種類のＩＰＴＶを手軽に利用できるようになる。
【図面の簡単な説明】
【００３４】
【図１】本発明の一実施例に係るＴＶの詳細な構成を示した図である。
【図２】本発明の一実施例に係るチャネル設定方法を説明するために提供されるフローチャートである。
【図３】本発明の一実施例に係るチャネル設定窓が表示された画面を示した図である。
【図４Ａ】本発明の一実施例に係るＩＰアドレス及びドメインネームを用いてチャネルを検索及び設定する過程を示した図である。
【図４Ｂ】本発明の一実施例に係るＩＰアドレス及びドメインネームを用いてチャネルを検索及び設定する過程を示した図である。
【図４Ｃ】本発明の一実施例に係るＩＰアドレス及びドメインネームを用いてチャネルを検索及び設定する過程を示した図である。
【図４Ｄ】本発明の一実施例に係るＩＰアドレス及びドメインネームを用いてチャネルを検索及び設定する過程を示した図である。
【図５】本発明の一実施例に係る周波数及び帯域幅を入力した場合、ＩＰアドレス入力欄及びドメインネーム入力欄が非活性化された状態の画面を示した図である。
【図６】本発明の一実施例に係るＩＰチャネルと放送チャネルがともに含まれたチャネルリストが表示された画面を示した図である。
【図７】本発明の一実施例に係るＩＰチャネルと放送チャネルが別途の領域に表示されたチャネルリストを示した図である。
【図８】本発明の一実施例に係る使用可能なチャネル番号リスト及び映像サービスが提供されるサーバーに対するドメインネームリストが表示された画面を示した図である。
【発明を実施するための形態】
【００３５】
以下では、図面を参照して本発明をより詳細に説明する。
【００３６】
図１は、本発明の一実施例に係るＴＶ１００のブロック図を示した図である。図１に示されたように、ＴＶ１００は放送受信部１１０、Ａ／Ｖ処理部１２０、音声出力部１３０、ＧＵＩ生成部１４０、ディスプレー部１４５、保存部１５０、ネットワークインターフェース１６０、制御部１７０、ユーザー操作部１８０を含む。
【００３７】
放送受信部１１０は、放送局又は衛星から有線又は無線で放送を受信して復調する。
【００３８】
Ａ／Ｖ処理部１２０は、放送受信部１１０で入力される映像信号及び音声信号に対してビデオディコーディング、ビデオスケーリング、オーディオディコーディング等の信号処理を行う。そして、Ａ／Ｖ処理部１２０は、映像信号をＧＵＩ生成部１４０に出力し、音声信号を音声出力部１３０に出力する。
【００３９】
一方、受信された映像及び音声信号を保存部１５０に保存する場合、Ａ／Ｖ処理部１２０は映像と音声を圧縮された形態で保存部１５０に保存するようになる。
【００４０】
音声出力部１３０は、Ａ／Ｖ処理部１２０から出力される音声をスピーカーで出力させたり、外部のスピーカーの接続されるオーディオの出力端子に出力させる。
【００４１】
ＧＵＩ生成部１４０は、ユーザーに提供するためのＧＵＩ(Ｇｒａｐｈｉｃ  Ｕｓｅｒ  Ｉｎｔｅｒｆａｃｅ)を生成する。ＧＵＩ生成部１４０で生成されたＧＵＩは、ＯＳＤ(Ｏｎ  Ｓｃｒｅｅｎ  Ｄｉｓｐｌａｙ)メニューの形態で画面に表示されることもできる。具体的には、ＧＵＩ生成部１４０は図３乃至図５に示されたチャネル設定窓及び図６及び図７に示されたチャネルリスト窓に該当さるＧＵＩを生成する。
【００４２】
ディスプレー部１４５は、Ａ／Ｖ処理部１２０から出力される映像をディスプレーする。尚、ディスプレー部１４５は、ＧＵＩ生成部１４０で生成されたＧＵＩがＯＳＤ形態で含まれた映像をディスプレーする。
【００４３】
保存部１５０は、放送受信部１１０で受信されたマルチメディアのコンテンツを録画して保存する。尚、保存部１５０は、ネットワークインターフェース１６０を介して受信されたマルチメディアのコンテンツファイルを保存することもできる。
【００４４】
尚、保存部１５０は、チャネルリストを保存することもできる。ここで、チャネルリストは、ユーザーにより設定されたり自動で設定されたりするチャネルリストを意味する。チャネルリストは、各チャネルに対するチャネル番号及びチャネル名に対する情報を含む。尚、チャネルリストはＩＰチャネルと放送チャネルをともに含むこともできる。
【００４５】
ここで、ＩＰチャネルはユーザーによりＩＰアドレス又はドメインネームにチャネル番号が付与されたチャネルを意味する。つまり、ＩＰチャネルは特定のＩＰアドレス及びドメインネームに対するチャネルを意味する。そして、放送チャネルはＴＶ放送の周波数及び帯域幅にチャネル番号が付与されたチャネルを意味する。尚、チャネルリストはＩＰチャネルと放送チャネルが各々別途の領域に表示されるように構成されても良い。
【００４６】
このような保存部２５０は、ハードディスク、非揮発性メモリー等で実現されることができる。
【００４７】
ネットワークインターフェース１６０は、ＴＶ１００がインターネットと通信するための接続ルートの役割を果たす。つまり、ネットワークインターフェース１６０はＴＶ１００とインターネット等の通信網を通信可能になるように接続して、ＴＶ１００がＩＰＴＶサービス等のインターネットサービスを提供できるようにする。
【００４８】
ユーザー操作部１８０はユーザーの操作を入力されて制御部１７０に転送する。具体的には、ユーザー操作部１８０はユーザーからチャネル設定のための情報(例えば、チャネル番号、周波数、帯域幅、ＩＰアドレス、ドメインネーム等)を入力される。ユーザー操作部１８０は、ＴＶ１００上に配置されたボタン、タッチスクリーン又はリモコンでも良い。
【００４９】
制御部１７０は、ユーザー操作部１８０から伝達されるユーザーの操作内容を基にユーザー命令を把握して、把握したユーザー命令に従ってＴＶ１００の全般的な動作を制御する。
【００５０】
具体的には、制御部１７０はユーザー操作部１８０を介してチャネル番号を入力されて、ＩＰアドレス及びドメインネームのうち、少なくとも一つを入力される。その後、ユーザー操作部１８０を介して検索命令が入力されると、制御部１７０は入力されたＩＰアドレス及びドメインネームのうち、少なくとも一つに対応されるサーバーで映像提供サービスが提供されるか否かを検索する。そして、サーバーで映像提供サービスが提供されると検索された場合、制御部１７０は入力されたチャネル番号が入力されたＩＰアドレス及びドメインネームのうち、少なくとも一つに対応されるように設定するようになる。
【００５１】
検索命令は、ユーザーが入力したＩＰアドレス及びドメインネームが映像の提供される有効なＩＰアドレス及びドメインネームであるか否かを制御部１７０が検索するようにする命令を意味する。尚、検索命令はユーザーが入力した周波数及び帯域幅で有効な放送信号が受信されるか否かを検索するための命令を意味することもある。
【００５２】
ここで、映像提供サービスはインターネットを介して映像を提供するサービスを意味するもので、例えば、ＩＰＴＶサービス又は映像ストリーミングのサービスが挙げられる。
【００５３】
このように、制御部１７０はＩＰアドレス又はドメインネームにチャンネル番号を付与することで、ＩＰＴＶ等の映像提供サービスを一般の放送チャネルのように設定できるようになる。
【００５４】
具体的に、制御部１７０はチャネル番号入力欄、周波数入力欄、帯域幅入力欄、ＩＰアドレス入力欄及びドメインネーム入力欄を含むチャネル設定窓が表示されるように制御する。そして、制御部１７０はチャネル番号入力欄を介してチャネル番号を入力されて、ＩＰアドレス入力欄及びドメインネーム入力欄を介してＩＰアドレス及びドメインネームのうち、少なくとも一つを入力されることになる。つまり、制御部１７０はチャネル番号入力欄に入力される番号をチャネル番号として認識し、ＩＰアドレス入力欄に入力された番号をＩＰアドレスとして認識し、ドメインネームに入力された情報をドメインネームとして認識するようになる。尚、制御部１７０は、周波数入力欄に入力された数字を放送チャネルの周波数として認識して、帯域幅入力欄に入力された数字を放送チャネルの帯域幅として認識する。
【００５５】
そして、制御部１７０は、ＩＰアドレス入力欄にＩＰアドレスが入力されると、入力されたＩＰアドレスに対応されるドメインネームがドメインネーム入力欄に表示されるように制御する。そして、制御部１７０はドメインネーム入力欄にドメインネームが入力されると、入力されたドメインネームに対応されるＩＰアドレスがＩＰアドレス入力欄に表示されるように制御する。これを通じて、ＴＶ１００はＩＰアドレスとドメインネームのうち、いずれか一つが入力されると、残りの一つは自動で入力することで、ＩＰチャネル設定の際のユーザーの便宜性を向上することができる。
【００５６】
そして、制御部１７０はチャネル番号入力欄にチャネル番号が入力されＩＰアドレス入力欄及びドメインネーム入力欄にＩＰアドレス及びドメインネームのうち、少なくとも一つが入力された状態でユーザー操作部１８０を介して検索命令が入力されると、入力されたＩＰアドレス及びドメインネームのうち、少なくとも一つに対応されるサーバーで映像提供サービスが提供されるか否かを検索する。例えば、制御部１７０はＩＰアドレスに対応されるサーバーに映像提供の要請メッセージを転送して、要請メッセージに対する応答メッセージを受信する。そして、制御部１７０は応答メッセージに映像提供が可能であると表示された場合、当該ＩＰアドレスに対応されるサーバーが映像提供サービスが可能なサーバーであると判断するようになる。
【００５７】
そして、制御部１７０は、サーバーで映像提供サービスが提供されると検索された場合、入力されたチャネル番号が入力されたＩＰアドレス及びドメインネームのうち、少なくとも一つに対応されるように設定することになる。例えば、チャネル番号に５が入力されて、ＩＰアドレスに１６８.１９２.５８.１１が入力されて、ドメインネームにｂｒｏａｄｎｔｖ.ｃｏｍが入力された後、映像提供サービスが提供されると検索された場合、制御部１７０はチャネル番号５番に１６８.１９２.５８.１１及びｂｒｏａｄｎｔｖ.ｃｏｍを割り当てることになる。そして、後日ユーザーがリモコン等を用いてチャネル５番を選択すると、制御部１７０はネットワークインターフェース１６０を介してｂｒｏａｄｎｔｖ.ｃｏｍに対応されるサーバーに接続して提供される映像を受信するようになる。このように、ユーザーはチャネル設定窓を介してＩＰチャネルを設定できるようになる。
【００５８】
そして、制御部１７０はＩＰアドレス入力欄及びドメインネーム入力欄にＩＰアドレスおよびドメインネームのうち、少なくとも一つが入力されると、周波数入力欄及び帯域幅入力欄を周波数と帯域幅が入力されないように非活性状態に変更する。これは、ＩＰアドレス又はドメインネームが入力された場合、周波数及び帯域幅を入力する必要がないためである。
【００５９】
尚、制御部１７０はチャネル番号入力欄にチャネル番号が入力されて周波数入力欄と帯域幅入力欄に周波数及び帯域幅が入力された状態で検索命令が入力されると、入力された周波数及び帯域幅で放送サービスが提供されるか否かを検索する。
【００６０】
そして、制御部１７０は入力された周波数及び帯域幅で放送サービスが提供されると検索された場合、入力されたチャネル番号が入力された周波数及び帯域幅に対応されるように設定する。
【００６１】
例えば、チャネル番号に６が入力されて、周波数に１７７５００ｋＨｚが入力されて、帯域幅に７ＭＨｚが入力された後、映像提供サービスが提供されると検索された場合、制御部１７０はチャネル番号６番に周波数１７７５００ｋＨｚ及び帯域幅７ＭＨｚを割り当てることになる。そして、後日ユーザーがリモコン等を用いてチャネル６番を選択すると、制御部１７０は放送受信部１１０を介して周波数１７７５００ｋＨｚ及び帯域幅７ＭＨｚに対応される放送信号を受信するようになる。このように、ユーザーはチャネル設定窓を介して一般放送チャネルも設定できるようになる。
【００６２】
尚、制御部１７０は周波数入力欄及び帯域幅入力欄に周波数及び帯域幅のうち、少なくとも一つが入力されると、ＩＰアドレス入力欄及びドメインネーム入力欄をＩＰアドレスとドメインネームが入力されないように非活性状態に変更する。周波数又は帯域幅が入力されると、ＩＰアドレス及びドメインネームが入力される必要がないためである。
【００６３】
そして、制御部１７０は、ユーザーにより生成されたチャネルと既に設定されたチャネルを総合して、ＩＰチャネルと放送チャネルをともに含むチャネルリストを生成する。そして、制御部１７０はチャネルリスト上でＩＰチャネルと放送チャネルが各々別途の領域に表示されるように制御することもできる。
【００６４】
従って、ユーザーはＩＰチャネルと放送チャネルの双方を一目で確認できるようになる。尚、ユーザーはユーザー操作部１８０のチャネル変更ボタンを用いて、ＩＰチャネル及び放送チャネルを選択できるようになる。従って、ユーザーは一般放送だけでなく、ＩＰＴＶサービスも手軽に利用できるようになる。
【００６５】
上述のように、ユーザーはＴＶ１００のチャネル設定窓を用いてＩＰアドレス又はドメインネームにチャンネル番号を付与できるようになる、従って、ユーザーはＩＰＴＶを一般放送チャネルのように選択及び利用できるようになる。
【００６６】
以下では、図２乃至図５を参照して、本発明の一実施例に係るチャネル設定方法について説明する。図２は本発明の一実施例に係るチャネル設定方法を説明するために提供されるフローチャートである。
【００６７】
まず、ＴＶ１００はチャネル設定窓を画面に表示する(Ｓ２１０)。チャネル設定窓の構造については、図３を参考して詳細に説明する。図３は、本発明の一実施例に係るチャネル設定窓が表示された画面を示した図である。
【００６８】
図３に示されたように、チャネル設定窓３００は、チャネル番号入力欄３１０、周波数入力欄３２０、帯域幅入力欄３３０、ＩＰアドレス入力欄３４０及びドメインネーム入力欄３５０を含む。
【００６９】
ユーザーはこのようなチャネル設定窓３００を用いてＩＰチャネル及び放送チャネルを手動で設定できる。ここで、ＩＰチャネルはユーザーによりＩＰアドレス及びドメインネームにチャネル番号が付与されたチャネルを意味する。つまり、ＩＰチャネルは特定のＩＰアドレス及びドメインネームに対するチャネルを意味する。そして、放送チャネルはＴＶ放送の周波数及び帯域幅にチャネル番号が付与されたチャネルを意味する。言い換えると、ユーザーはチャネル設定窓３００を用いてＩＰチャネル及び放送チャネルを一つの画面で手動で設定できるようになる。
【００７０】
以下では、図４Ａ乃至図４Ｄを参考して、図２のＳ２２０ステップ乃至Ｓ２７５ステップを説明する。図４乃至図４Ｄは、本発明の一実施例に係るＩＰアドレス及びドメインネームを用いてチャネルを検索及び設定する過程を示した図である。
【００７１】
ＴＶ１００は、ユーザー操作部１８０を介してチャネル番号入力欄３１０に所望のチャネル番号を入力される(Ｓ２２０)。図４Ａを参考すると、ユーザーはチャネル番号入力欄３１０にチャネル番号「５」を入力したことが確認できる。
【００７２】
そして、ＴＶ１００はＩＰアドレス入力欄３４０にＩＰアドレスが入力されたか否かを判断する(Ｓ２３０)。もし、ＩＰアドレスがＩＰアドレス入力欄３４０に入力された場合(Ｓ２３０−Ｙ)、ＴＶ１００は入力されたＩＰアドレスに対応されるドメインネームをドメインネーム入力欄３５０に自動で表示するようになる(Ｓ２３５)。
【００７３】
例えば、図４Ａに示されたように、ユーザーがＩＰアドレス入力欄３４０に「１６９.１９２.５８.１１」を入力した場合、図４ＢのようにＴＶ１００は１６９.１９２.５８.１１に対応されるドメインネームである「ｂｒｏａｄｎｔｖ.ｃｏｍ」をドメインネーム入力欄３５０に自動で表示するようになる。
【００７４】
一方、ＩＰアドレスが入力されなかった場合(Ｓ２３０−Ｎ)、ＴＶ１００はドメインネーム入力欄３５０にドメインネームが入力されたか否かを判断する(Ｓ２４０)。もし、ドメインネームが入力された場合(Ｓ２４０−Ｙ)、ＴＶ１００は入力されたドメインネームに対応されるＩＰアドレスをＩＰアドレス入力欄３４０に表示するようになる(Ｓ２４５)。
【００７５】
その後、図４Ａ及び図４Ｂに示されたように、ＴＶ１００は周波数入力欄３２０と帯域幅入力欄３３０を非活性状態に変更する(Ｓ２５０)。図４Ａ及び図４Ｂに示されたように、周波数入力欄３２０と帯域幅入力欄３３０はグレーに処理されて非活性化される。そして、非活性化された入力欄にはユーザーが情報を入力することができなくなる。
【００７６】
ＩＰアドレスとドメインネームが入力されると、周波数と帯域幅は入力する必要がないため、ＴＶ１００は周波数入力欄３２０と帯域幅入力欄３３０を周波数と帯域幅が入力されないように非活性状態に変更するのである。
【００７７】
そして、ＴＶ１００はユーザー操作部１８０を介して検索命令を入力される(Ｓ２６０)。ここで、検索命令はユーザーが選択したチャネルのＩＰアドレス及びドメインネームが映像の提供される有効なＩＰアドレス及びドメインネームであるか、又は有効な放送チャネルか否かをＴＶ１００が検索するようにする命令を意味する。
【００７８】
検索命令が入力されると、ＴＶ１００は入力されたＩＰアドレス又はドメインネームで映像提供サービスが支援されるか否かを判断する(Ｓ２７０)。そして、映像提供サービスが支援される場合(Ｓ２７０−Ｙ)、ＴＶ１００は入力されたチャネル番号が入力されたＩＰアドレス及びドメインネームに対応されるように設定する(Ｓ２７５)。
【００７９】
具体的に、図４Ｃは入力されたＩＰアドレス及びドメインネームに対応されるサーバーで映像提供サービスが提供される場合を示している。図４Ｃに示されたように、映像提供サービスが提供される場合、ユーザーが検索命令を入力すると、画面上に提供される映像４２０がディスプレーされる。そして、チャネル設定窓３００にＩＰチャネル設定アイコン４１０が表示される。従って、ユーザーは入力されたＩＰアドレス及びドメインネームで映像提供サービスが提供されることを簡単に把握できるようになる。そして、ＴＶ１００はチャネル番号５番にＩＰアドレス「１６８．１９２.５８．１１」とドメインネーム「ｂｒｏａｄｎｔｖ.ｃｏｍ」を割り当てることで、ＩＰチャネル５番を設定するようになる。
【００８０】
一方、入力されたＩＰアドレス及びドメインネームに対応されるサーバーが映像提供サービスを支援しないと検索された場合(Ｓ２７０−Ｎ)、ＴＶ１００は再びチャネル情報を入力されるために、Ｓ２２０ステップに戻ることになる。
【００８１】
具体的に、図４Ｄは入力されたＩＰアドレス及びドメインネームで映像提供サービスを提供しない場合の画面を示している。図４Ｄに示されたように、映像提供サービスが提供されない場合、ユーザーが検索命令を入力すると、チャネル設定窓３００にチャネル設定不可アイコン４３０が表示される。従って、ユーザーは入力されたＩＰアドレス及びドメインネームのサーバーで映像提供サービスが提供されないことが簡単に把握できるようになる。
【００８２】
以下では、図５を参考して、図２のＳ２８０ステップ及びＳ２９５ステップを説明する。図５は本発明の一実施例に係る周波数及び帯域幅を入力した場合、ＩＰアドレス入力欄及びドメインネーム入力欄が非活性化された状態の画面を示した図である。
【００８３】
ドメインネームが入力されなかった場合(Ｓ２４０−Ｎ)、ＴＶ１００は周波数入力欄３２０及び帯域幅入力欄３３０に周波数及び帯域幅が入力されるか否かを判断する(Ｓ２８０)。もし、周波数及び帯域幅が入力された場合(Ｓ２８０−Ｙ)、ＴＶ１００はＩＰアドレス入力欄３４０とドメインネーム入力欄３５０を非活性状態に変更する(Ｓ２８３)。周波数と帯域幅が入力されると、ＩＰアドレスとドメインネームは入力する必要がないため、ＴＶ１００はＩＰアドレス入力欄３４０とドメインネーム入力欄３５０をＩＰアドレスとドメインネームが入力されないように非活性状態に変更するのである。
【００８４】
具体的に、図５は周波数及び帯域幅が入力された場合、ＩＰアドレス入力欄３４０及びドメインネーム入力欄３５０が非活性化された状態の画面を示している。
【００８５】
そして、ＴＶ１００はユーザー入力部１８０を介して検索命令を入力される(Ｓ２８５)。ここで、検索命令は入力された周波数及び帯域幅で有効な放送信号が受信されるか否かを検索するための命令を意味する。
【００８６】
検索命令が入力されると、ＴＶ１００は入力された周波数及び帯域幅で有効な放送サービスが支援されるか(つまり、有効な放送信号が受信されるか)否かを判断する(Ｓ２９０)。そして、放送サービスが支援される場合(Ｓ２９０−Ｙ)、ＴＶ１００は入力されたチャネル番号が入力された周波数及び帯域幅に対応されるように設定する(Ｓ２９５)。例えば、図５に示されたように、ＴＶ１００はチャネル番号６に周波数１７７５００ｋＨｚ及び帯域幅７ＭＨｚを対応させることにより、放送チャネル６番を設定するようになる。
【００８７】
一方、入力された周波数及び帯域幅で有効な放送サービスが支援されない場合(Ｓ２９０−Ｎ)、ＴＶ１００は再度チャネル設定情報を入力されるためにＳ２２０ステップに戻ることになる。
【００８８】
このような過程を通じて、ＴＶ１００はチャネル設定窓を用いてＩＰアドレス又はドメインネームにチャネル番号を付与できるようになる。従って、ユーザーはＩＰＴＶを一般放送チャネルのように選択及び利用できるようになる。
【００８９】
図６は、本発明の一実施例に係るＩＰチャネルと放送チャネルがともに含まれたチャネルリスト６００が表示された画面を示した図である。ユーザーがユーザー操作部１８０を用いてチャネルリストの表示命令を入力すると、ＴＶ１００は画面にチャネルリストを表示する。この時、表示されるチャネルリスト６００はＩＰチャネルと放送チャネルがともに含まれており、図６と同様にチャネル番号の順で表示されることができる。
【００９０】
図７は、本発明の一実施例に係るＩＰチャネルと放送チャネルが別途の領域に表示されたチャネルリスト７００を示した図である。図７に示されたように、チャネルリスト７００はＩＰチャネルと前記放送チャネルが各々別途の領域に表示されることもできる。
【００９１】
一方、本実施例ではチャネル番号、ＩＰアドレス及びドメインネームをユーザーが直接入力するものと記載したが、その他の方法としてチャネル番号、ＩＰアドレス、ドメインネームを入力できることは言うまでもない。
【００９２】
例えば、ユーザーがチャネル番号入力欄を選択すると、ＴＶ１００の制御部１７０は使用可能なチャネル番号リスト(つまり、現在使われていないチャネル番号リスト)を画面に表示するように実現できることは言うまでもない。そして、ＴＶ１００は使用可能なチャネル番号リストで所望のチャネル番号をユーザーより選択されることで、チャネル番号を入力されることもできる。
【００９３】
そして、ユーザーがドメインネーム入力欄を選択すると、ＴＶ１００の制御部１７０は利用可能なドメインに対するリスト(つまり、映像サービスが提供されるサーバーのドメインネームに対するリスト)又はアイコンを表示するように実現されることもできる。そして、ＴＶ１００は画面に表示された利用可能なドメインに対するリストでユーザーの所望する項目を選択されたり所望するアイコンを選択されることにより、ドメインネームを入力されることもできる。
【００９４】
具体的に、図８を参考して利用可能なチャネル番号リスト及び映像サービスが提供されるサーバーに対するドメインネームリストについて図８を参考して説明する。図８は本発明の一実施例に係る使用可能なチャネル番号リスト３１５及び映像サービスが提供されるサーバーに対するドメインネームリスト３５５が表示された画面を示した図である。
【００９５】
図８に示されたように、ＴＶ１００は使用可能なチャネル番号リスト３１５をチャネル番号入力欄３１０の下段に表示するようになる。従って、ユーザーは使用可能なチャネル番号リスト３１５の諸項目のうち、いずれか一つを選択することで、所望するチャネル番号を入力できるようになる。
【００９６】
そして、ＴＶ１００は映像サービスが提供されるサーバーに対するドメインネームリスト３５５をドメインネーム入力欄３５０の隣に表示するようになる。従って、ユーザーは映像サービスが提供されるサーバーに対するドメインネームリスト３５５の項目のうち、いずれか一つを選択することにより、所望するドメインネームを入力することもできる。
【００９７】
上述のように、本実施例に係るＴＶ１００はチャネルリストにＩＰチャネルと放送チャネルがともに表示されることで、ユーザーはＩＰチャネルと放送チャネルの双方を一目で確認することができるようになる。尚、ユーザーはユーザー操作部１８０のチャネル変更ボタンを用いてＩＰチャネル及び放送チャネルを選択できるようになる。従って、ユーザーは一般放送だけでなく、ＩＰＴＶサービスも手軽に利用することができる。
【００９８】
本実施例において、放送受信装置はＴＶであると説明してきたが、その他にも放送信号を受信してインターネットと接続できる装置なら如何なるものでも適用されることができることは言うまでもない。例えば、放送受信装置はセットトップボックス、携帯電話等でも良いことは言うまでもない。
【００９９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１００】
１００  ＴＶ
１１０  放送受信部
１２０  Ａ／Ｖ処理部
１３０  音声出力部
１４０  ＧＵＩ生成部
１４５  ディスプレー部
１７０  制御部
１５０  保存部
１６０  ネットワークインターフェース
１８０  ユーザー操作部
３００  チャネル設定
３１０  チャネル番号
３２０  周波数
３３０  帯域幅
３５０  ドメイン
４１０  ＩＰチャネル設定
４３０  チャネル設定不可
６００、７００  チャネルリスト
【図１】
2010252323.tif 000003
【図２】
2010252323.tif 000004
【図３】
2010252323.tif 000005
【図４Ａ】
2010252323.tif 000006
【図４Ｂ】
2010252323.tif 000007
【図４Ｃ】
2010252323.tif 000008
【図４Ｄ】
2010252323.tif 000009
【図５】
2010252323.tif 000010
【図６】
2010252323.tif 000011
【図７】
2010252323.tif 000012
【図８】
2010252323.tif 000013